(57)【特許請求の範囲】
【請求項１】
懐中ライトやペンライトなどの筒状体の端部に被せられる合成樹脂製の固定用キャップを使用して、前記筒状体の底部側で壁や机上に固定する固定用キャップの連結構造において、
前記筒状体における固定用キャップの差し込み口側に合成樹脂製の末広がりの裾広傾斜部分が設けられ、前記固定用キャップは、底部側に位置する基台部と、前記裾広傾斜部分に対応する内側に傾斜した内側傾斜の外周壁を設け、前記内側傾斜の外周壁の厚みは、先端部分の厚みの方が前記基台部側の厚みよりも薄くなるように形成されており、前記内側傾斜の外周壁の内側に隙間なく前記筒状体の裾広傾斜部分が密着して差し込まれることを特徴とする固定用キャップの連結構造。
【請求項２】
懐中ライトやペンライトなどの筒状体の端部に被せられる合成樹脂製の固定用キャップを使用して、前記筒状体の底部側で壁や机上に固定する固定用キャップの連結構造において、
前記筒状体における固定用キャップの差し込み口側に末広がりの合成樹脂製の裾広傾斜部分が設けられ、前記固定用キャップは、底部側に位置する基台部と、前記裾広傾斜部分に対応する内側に傾斜した内側傾斜の外周壁を設け、前記内側傾斜の外周壁に所定間隔をおいて複数のスリットが差し込み口側に設けられ、隣り合う前記スリットの間の前記内側傾斜の外周壁と、前記筒状体における前記裾広傾斜部分の切り欠き部分を対応させるように、位置を合わせながら斜めからはめ込むように装着され、前記内側傾斜の外周壁の内側に隙間なく前記筒状体の裾広傾斜部分が密着して差し込まれることを特徴とする固定用キャップの連結構造。
【請求項３】
前記固定用キャップの内側傾斜の外周壁に、所定間隔をおいて複数のスリットが差し込み口側に設けられ、前記スリットは、差し込み部側から前記基台部側に向かってスリット幅が大きくなっていることを特徴とする請求項１または２記載の固定用キャップの連結構造。
【請求項４】
前記固定用キャップの内側傾斜の外周壁における差し込み側端部に端縁傾斜部が設けられ、前記筒状体の底部側を案内することを特徴とする請求項１ないし３のいずれか１項記載の固定用キャップの連結構造。
【請求項５】
前記固定用キャップの内側傾斜の外周壁の材質が前記固定用キャップの基台部の材質よりも柔らかい材質であることを特徴とする請求項１ないし４のいずれか１項記載の固定用キャップの連結構造。
【請求項６】
前記固定用キャップの基台部にネジ穴が設けられているとともに、前記ネジ穴の周囲に磁石が取り付けられていることを特徴とする請求項１ないし５のいずれか１項記載の固定用キャップの連結構造。
【発明の詳細な説明】
【技術分野】
【０００１】
本発明は、懐中ライトやペンライトなどの筒状体の端部に被せられる固定用キャップであって、筒状体を壁や机上に固定するために使用される固定用キャップの連結構造に関する。
【背景技術】
【０００２】
従来、懐中ライトやペンライトなどの筒状体の端部に被せられる固定用キャップであって、筒状体を壁や机上に固定するために使用される固定用キャップの連結構造においては、筒状体への取り付けが容易で、かつ、筒状体からの脱落を防止するために様々な工夫がされている。
【０００３】
このようなキャップとして、特許文献１には、家具類の脚先端に嵌着可能なキャップ基体１が弾性材からなり、かつキャップ基体１には家具類の脚を挿入させるための開口部５Ｂが形成され、この開口部５Ｂを形成する筒部の内周面及び外周面の双方がギザギザ面に形成されており、筒部が、内周面１３及び外周面１２の双方のギザギザ面により折り畳まれた襞のような壁になっており、家具の脚を入れる場合に伸ばし易いとともに、強固に弾性挟持させることができる家具脚用キャップが開示されている。
【０００４】
また、特許文献２には、トルクビスの破断面を覆う固定手段のキャップであり、ボルト頭が切断された雄ネジ１３０の上面を覆う底部２００と、連結部を覆う側部３００とを有し、側部３００の対向する位置には、連結部に係止する爪部が各々設けられ、一方の爪部３１０ａは、底部２００方向に、側部３００に少なくとも二つのスリット３３０を入れて形成し、固定用キャップを取り付けるときに、一方の爪部３１０ａが弾性変形して、取り付け作業を容易にすることができるキャップが開示されている。
【先行技術文献】
【特許文献】
【０００５】
【特許文献１】特開２０１４−１４０７６２
【特許文献２】特開２０１５−１０８３９７
【発明の概要】
【発明が解決しようとする課題】
【０００６】
特許文献１記載の固定用キャップは、ゴム等の弾性材で形成する必要があり、その他の素材で形成した場合は筒状体に装着することができないため、家具類の脚の保護用などの用途に限定される。
【０００７】
この点、特許文献２記載の固定用キャップは、側部に設けたスリットで爪部を弾性変形させて装着することができるため、ゴム等の弾性材以外を用いて形成することができる。
しかしながら、特許文献２記載の固定用キャップでは、端部に向かって末広がりに広がる裾広傾斜部分を有する筒状体の場合、装着することができないか、隙間が生じて、防水構造にすることはできない。
また、懐中ライトやペンライトなどの筒状体においては、その外周に木製や合成樹脂製などの固定用キャップやカバーが取り付けられる場合があるが、これらの固定用キャップやカバーを含めて、前記筒状体における末広がりの裾広傾斜部分が合成樹脂製であり、前記固定用キャップが合成樹脂製であり、その合成樹脂製の前記外周壁の内側に隙間なく前記筒状体の裾広傾斜部分が密着して差し込まれることを特徴とする前記筒状体の端部には、外部電源に連結する端子を有する場合があり、このような場合、前記固定用キャップには防水性が要求されるか、防水性に代わる固定用キャップの密着性が要求されるが、合成樹脂製で単に前記筒状体に対応する形状に形成するだけでは、両者の隙間から水が入り込んで端子を損傷させる問題を有していた。
さらに、前記筒状体の端部には、外部電源に連結する端子を有する場合があり、このような場合、前記固定用キャップには防水性が要求されるか、防水性に代わる固定用キャップの密着性が要求されるが、合成樹脂製で単に前記筒状体に対応する形状に形成するだけでは、両者の隙間から水が入り込んで端子を損傷させる問題を有していた。
【０００８】
そこで本発明の目的は、筒状体に対して防水性を発揮するような密着した取り付けができるとともに、容易に着脱ができる固定用キャップの連結構造を提供することにある。
【課題を解決するための手段】
【０００９】
本発明は、  懐中ライトやペンライトなどの筒状体の端部に被せられる合成樹脂製の固定用キャップを使用して、前記筒状体の底部側で壁や机上に固定する固定用キャップの連結構造において、前記筒状体における固定用キャップの差し込み口側に合成樹脂製の末広がりの裾広傾斜部分が設けられ、前記固定用キャップは、底部側に位置する基台部と、前記裾広傾斜部分に対応する内側に傾斜した内側傾斜の外周壁を設け、前記内側傾斜の外周壁の厚みは、先端部分の厚みの方が前記基台部側の厚みよりも薄くなるように形成されており、前記内側傾斜の外周壁の内側に隙間なく前記筒状体の裾広傾斜部分が密着して差し込まれることを特徴とする固定用キャップの連結構造である。
また、本発明は、懐中ライトやペンライトなどの筒状体の端部に被せられる合成樹脂製の固定用キャップを使用して、前記筒状体の底部側で壁や机上に固定する固定用キャップの連結構造において、前記筒状体における固定用キャップの差し込み口側に末広がりの合成樹脂製の裾広傾斜部分が設けられ、前記固定用キャップは、底部側に位置する基台部と、前記裾広傾斜部分に対応する内側に傾斜した内側傾斜の外周壁を設け、前記内側傾斜の外周壁に所定間隔をおいて複数のスリットが差し込み口側に設けられ、隣り合う前記スリットの間の前記内側傾斜の外周壁と、前記筒状体における前記裾広傾斜部の切り欠き部分を対応させるように、位置を合わせながら斜めからはめ込むように装着され、前記内側傾斜の外周壁の内側に隙間なく前記筒状体の裾広傾斜部分が密着して差し込まれることを特徴とする固定用キャップの連結構造である。
本発明によれば、筒状体の裾広傾斜部分に対して内側傾斜の外周壁を有する固定用キャップを連結させることで、固定用キャップが外れにくくなり、固定用キャップの脱落を防止することができる。
【００１０】
本発明としては、前記固定用キャップの内側傾斜の外周壁における差し込み側端部に端縁傾斜部が設けられ、前記筒状体の底部側を案内することを特徴とする。
本発明によれば、前記固定用キャップを筒状体に被せる際には、前記端縁傾斜部が筒状体の底部を案内して、スムーズに被せることができる。
【００１１】
本発明としては、前記固定用キャップの前記内側傾斜の外周壁の材質が前記固定用キャップの基台部の材質よりも柔らかい材質であるか、または、前記内側傾斜の外周壁の幅が前記固定用キャップの基台部側の幅よりも狭くなるように形成されていることを特徴とする。
本発明によれば、前記内側傾斜の外周壁の材質を前記固定用キャップの基台部の材質よりも柔らかい材質とするか、または、前記内側傾斜の外周壁の幅が前記固定用キャップの基台部側の幅よりも狭くなるように形成することにより、固定用キャップを筒状体に対して被せると、外周方向に広がりやすくなり連結が容易になる。
【００１２】
本発明としては、前記固定用キャップの内側傾斜の外周壁に、所定間隔をおいて複数のスリットが差し込み口側に設けられ、前記スリットは、差し込み部側から前記基台部側に向かってスリット幅が大きくなっていることを特徴とする。
本発明によれば、スリットを設けることで、筒状体に固定用キャップを取り付ける際に内側傾斜の外周壁が弾性変形し、スリットの幅が下方に向かって大きくなるように設けられているので、連結に際して固定用キャップを筒状体の裾広傾斜部分に差し込んでいくと、スリットの開く間隔が大きくなり、連結が容易になる。
【００１３】
本発明としては、前記固定用キャップの基台部にネジ穴が設けられているとともに、前記ネジ穴の周囲に磁石が取り付けられていることを特徴とする。
本発明によれば、固定用キャップの基台部にネジ穴を設けることによって三脚等の支持部材に取り付けることができる。また、磁石を取り付けることによって、金属等の上に固定できる。したがって、懐中ライトなどの筒状体を所定角度にして立設させることができる。
【００１４】
本発明としては、前記筒状体における末広がりの裾広傾斜部分が合成樹脂製であり、前記固定用キャップが合成樹脂製であり、その合成樹脂製の前記内側傾斜の外周壁の内側に隙間なく前記筒状体の裾広傾斜部分が密着して差し込まれることを特徴とする。
本発明によれば、筒状体に対して防水性を発揮するような密着した取り付けができる。
【発明の効果】
【００１５】
本発明によれば、筒状体に対して防水性を発揮するような密着した取り付けができるとともに、容易に着脱ができる固定用キャップの連結構造を提供することができる。そして、懐中ライトなどの筒状体の底部に電源端子（ＵＳＢ端子）などが露出しているものでも、防水性を発揮して、これを保護することができる。
【図面の簡単な説明】
【００１６】
【図１】本発明の実施形態の固定用キャップを示す斜視図である。
【図２】上記実施形態の固定用キャップの内側傾斜の外周壁を示す拡大図である。
【図３】上記実施形態の固定用キャップを示す正面図と断面図である。
【図４】上記実施形態の固定用キャップを示す正面図と断面図である。
【図５】上記実施形態の固定用キャップを示す平面図と底面図である。
【図６】上記実施形態の固定用キャップを装着する筒状体を示す図である。
【図７】上記実施形態の固定用キャップを筒状体に装着した状態を示す図である。
【図８】上記実施形態の固定用キャップを示す正面図である。
【図９】上記実施形態の固定用キャップを筒状体に装着する過程を説明する図である。
【図１０】上記実施形態の固定用キャップを筒状体に装着する過程を説明する図である。
【発明を実施するための形態】
【００１７】
以下、本発明を適用した具体的な実施の形態について、図面を参照しながら詳細に説明する。
【００１８】
図１は、本発明の実施形態の固定用キャップを示す斜視図であり、図２は、上記実施形態の固定用キャップの内側傾斜の外周壁を示す拡大図である。
【００１９】
本発明の実施形態の固定用キャップ１は合成樹脂により製作され、懐中ライトやペンライトなどの筒状体１０の端部（樹脂製キャップの底部）に被せるものである。懐中ライトなどの筒状体１０の底部には、電源端子（ＵＳＢ端子）が取り付けられている。
固定用キャップ１は、基台部２と内側傾斜の外周壁３から構成され、内側傾斜の外周壁３には、スリット４が下方に向けて（固定用キャップ１の差し込み口側から基台部２方向に）所定間隔で形成されている。なお、樹脂製キャップの基台部２の大きさは、前記筒状体１０の内側傾斜の外周壁３の内壁とほぼ同じ大きさである。
図２に示すように、内側傾斜の外周壁３は、端縁傾斜部３ａと内壁３ｂを有する。筒状体１０に固定用キャップ１を連結するとき、まず、端縁傾斜部３ａの傾斜に沿って筒状体１０を差し込むようにして、その後内壁３ｂに沿って筒状体１０がはめ込まれることで筒状体１０と固定用キャップ１がスムーズに連結される。他方、連結を解除するときは、前記筒状体１０を固定用キャップ１を抜き取るようにすると（真っすぐに引き離すようにすると）、連結状態が解除される。
【００２０】
図２（ａ）において、端縁傾斜部３ａと内壁３ｂがなす角度θ３は、１８０°−（θ１＋θ２）となるが、ここで、角度θ１＞角度θ２であり、角度θ１＜９０°である。このような端縁傾斜部３ａと内壁３ｂを有することで、筒状体１０を固定用キャップ１に差し込むとき、筒状体が端縁部３ａから内壁３ｂに滑らかに移行する。すなわち、前記固定用キャップ１の内側傾斜の外周壁３における差し込み側端部に前記キャップ外周壁における側傾斜の傾斜角度よりも傾斜角度が大きな角度の端縁傾斜部３ａが設けられている。
また、図２（ｂ）のように、端縁傾斜部３ａと内壁３ｂが形成する角部をなだらかに形成してもよい。
【００２１】
図３（ａ）は上記実施形態の固定用キャップを示す正面図であり、図３（ｂ）は上記実施形態のキャップを筒状体と連結させた状態を示す断面図である。
図３(ａ)に示す固定用キャップ１において、スリット４は、下方に向かうにつれて幅が大きくなるように形成されている、フラスコ形状の曲線で構成されている。すなわちスリット４において、基台部２側の幅４ｂは固定用キャップ１の取り付け側の幅４ａよりも広くなるように形成されている。また、内側傾斜の外周壁３の材質は、固定用キャップ１の基台部２の材質よりも柔らかい材質となっている。
図３（ｂ）のように、固定用キャップ１と筒状体１０を連結させたとき、固定用キャップ１の内壁３ｂと筒状体１０の裾広傾斜部分１０ａを密着して取り付けることができるので、防水性を発揮させることができる。
また、本実施形態では、固定用キャップ１にスリット４を６つ設けることにより、内側傾斜の外周壁３は６分割されているが、これに限定されることはない。
【００２２】
図４（ａ）は上記実施形態の固定用キャップを示す正面図であり、図４（ｂ）は上記実施形態のキャップを筒状体と連結させた状態を示す断面図である。
図４（ａ）に示す固定用キャップ１において、スリットの幅は一定であっても良く、この場合は、前記内側傾斜の外周壁３の材質が前記固定用キャップ１の基台部２の材質よりも柔らかい材質であることが好ましい。
また、図４（ｂ）に示すように、内側傾斜の外周壁３の幅（厚み）は、先端部分の幅３ｃの方が固定用キャップ１の基台部２側の幅（厚み）よりも狭くなる（薄くなる）ように形成されている。また、筒状体１０における垂直部分１０ｃが設けられており、これらの裾広傾斜部分１０ａと垂直部分１０ｃを囲むように固定用キャップ１の基台部２側が設けられている。したがって、前記固定用キャップ１に筒状体１０を差し込むようにすると、その入り口側では外周方向に広がって差し込みやすくなる。
【００２３】
図５は、上記実施形態の固定用キャップを示す平面図と底面図である。
固定用キャップ１の基台部２にはネジ穴５が設けられており、三脚等の支持部材に取り付けることもできる。また、ネジ穴５の周囲に磁石６を備えて、金属等の上に自立して固定でき、斜めにしても、その立設状態を維持することとなる。
【００２４】
図６は、上記実施形態の固定用キャップを装着する筒状体を示す図であり、図７は、上記実施形態の固定用キャップを筒状体に装着した状態を示す図である。
本実施形態の筒状体１０は、アウトドア用の小型のライトであり、市販品である。筒状体１０は、下方に向かって末広がりに広がる裾広傾斜部分１０ａを有しており、ここに固定用キャップ１を連結させる。筒状体１０の裾広傾斜部分１０ａに固定用キャップ１を連結させることで、筒状体１０を安定して直立させることができる。裾広傾斜部分１０ａには、その円周を切り欠いた所定幅の切り欠き部分１０ｂが設けられている。また、筒状体１０の上部にも上方に向かって末広がりに広がる裾広傾斜部分１０ｄを有しており、この部分１０ｄに合わせた固定用キャップ１を製作し、連結させることもできる。
【００２５】
図８（ａ）は、上記実施形態の固定用キャップを示す正面図である。図８（ｂ）はスリット４の別の形態を示す図であり、スリット４が直線状に形成されている例を示している。
本実施形態のスリット４は、大きさや深さ、幅等も適宜変更することができる。
【００２６】
図９（ａ）（ｂ）（ｃ）と図１０（ａ）（ｂ）は、上記実施形態の固定用キャップ１を筒状体１０に装着する過程を説明する図である。
図９（ａ）に示すように、固定用キャップ１における２つのスリット４の間の内側傾斜の外周壁３と、筒状体１０における裾広傾斜部分１０ａの切り欠き部分１０ｂの幅がほぼ同じになっている。２つのスリット４の間の内側傾斜の外周壁３と、筒状体１０における裾広傾斜部分１０ａの切り欠き部分１０ｂを対応させるように、位置を合わせながら斜めからはめ込むように装着する。また、このとき、端縁傾斜部３ａの傾斜に沿って筒状体１０を差し込むようにして、その後内壁３ｂに沿って筒状体１０をはめ込むようにする。その際に、図９（ｂ）に示すように、スリット４の間隔が開いて大きくなり、図９（ｃ）に示すように、筒状体１０に固定用キャップ１を連結させることができる。
図１０（ａ）（ｂ）は、書架キャビネットの側面に固定用キャップ１を磁石を介して固定した状態にして、筒状体であるペンライトを固定用キャップ１に差し込んで装着する状態を説明するものであり、固定用キャップ１の底部側が固定用キャップ１の内側傾斜の外周壁３を外側に広げるようにして、筒状体１０を取り付ける。
【００２７】
このように、スリット４を有することで、筒状体１０に固定用キャップ１を取り付ける際に、内側傾斜の外周壁３が弾性変形して、固定用キャップ１と筒状体１０の連結が容易になる。さらに、スリット４を切り欠き部分１０ｂと対応させるようにはめ込むことで、筒状体１０と固定用キャップ１をスムーズに連結させることができる。
また、筒状体１０の裾広傾斜部分１０ａと内側傾斜の外周壁３を有する固定用キャップ１を連結させることで、固定用キャップ１が外れにくくなり、固定用キャップ１の脱落を防止することができる。
【００２８】
なお、本発明は、上記実施形態に限定されるものではなく、本発明の趣旨を逸脱しない範囲において種々の変更を加えることが可能である。また、懐中ライトなどではなくても、その他の筒状体１０に対して樹脂製キャップの基台部２を介して固定用キャップ１を取り付けることできる。
【符号の説明】
【００２９】
１      固定用キャップ、
２      基台部、
３      内側傾斜の外周壁、３ａ  端縁傾斜部、３ｂ  内壁、
４      スリット、
５      穴、
６      磁石、
１０    筒状体、
１０ａ  裾広傾斜部分（樹脂製キャップの底部）、１０ｂ  切り欠き部分、
１０ｄ  裾広傾斜部分（上方側の裾広傾斜部分）
【要約】
【課題】  筒状体に対して防水性を発揮するような密着した取り付けができるとともに、容易に着脱ができる固定用キャップの連結構造を提供する。
【解決手段】  懐中ライトやペンライトなどの筒状体１０の端部に、前記筒状体１０における固定用キャップ１の差し込み口側に末広がりの裾広傾斜部分１０ａが設けられ、前記固定用キャップ１に前記裾広傾斜部分１０ａに対応する内側に傾斜した内側傾斜の外周壁３を設けた。また、内側傾斜の外周壁にはスリット４が設けられている。
【選択図】  図７【図１】
0006974880.tif 000002
【図２】
0006974880.tif 000003
【図３】
0006974880.tif 000004
【図４】
0006974880.tif 000005
【図５】
0006974880.tif 000006
【図６】
0006974880.tif 000007
【図７】
0006974880.tif 000008
【図８】
0006974880.tif 000009
【図９】
0006974880.tif 000010
【図１０】
0006974880.tif 000011